【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  遊技機が設置された遊技場における管理情報を処理する遊技用装置であって、
前記管理情報を処理して記憶するための情報管理手段を含み、
該情報管理手段は、
遊技場が情報管理手段内部にまでアクセスすることを防止できるように構成され、かつ、
前記管理情報が入力される情報入力部と、
該情報入力部に入力された前記管理情報を処理する情報処理手段と、
着脱可能に構成されている記憶媒体に対し、前記情報処理手段により処理された情報を記憶させる記憶手段と、
取出される前記記憶媒体の記憶情報に関する情報を記憶する情報記憶手段と、
装着された前記記憶媒体の記憶情報に関する情報と前記情報記憶手段に記憶されている情報とを照合して、前記記憶媒体の記憶情報の改ざんを検出する情報異常検出手段と、
前記情報異常検出手により前記記憶媒体の記憶情報の改ざんが検出されたときに、異常が発生した旨を報知するための処理を行なう報知処理手段とを有していることを特徴とする、遊技用装置。
【請求項２】  前記情報管理手段は、
前記取出される記憶媒体の記憶情報をコード化して情報コードを作成する第１の情報コード作成手段と、
前記装着された前記記憶媒体の記憶情報をコード化して情報コードを作成する第２の情報コード作成手段とをさらに有し、
前記情報記憶手段は、前記第１の情報コード作成手段により作成された情報コードを前記記憶媒体の記憶情報に関する情報として記憶し、
前記情報異常検出手段は、前記第２の情報コード作成手段により作成された情報コードと前記情報記憶手段に記憶されている情報コードとを比較して一致するか否かを判別する一致判別手段を有し、該一致判別手段により一致すると判別されたときに前記記憶媒体の記憶情報が正常であることを検出し、前記一致判別手段により一致しないと判別されたときに前記記憶媒体の記憶情報が改ざんされたことを検出することを特徴とする、請求項１記載の遊技用装置。
【請求項３】  前記報知処理手段は、異常である旨の情報を前記記憶媒体に記憶させる異常情報記憶手段を有することを特徴とする、請求項１記載の遊技用装置。
【請求項４】  前記報知処理手段は、異常である旨の情報を情報送信手段により遊技場外へ送信させる異常情報送信手段を有することを特徴とする、請求項１〜３のいずれかに記載の遊技用装置。
【手続補正２】
【補正対象書類名】明細書
【補正対象項目名】０００６
【補正方法】変更
【補正の内容】
【０００６】
【課題を解決するための手段】
請求項１に記載の本発明は、遊技機が設置された遊技場における管理情報を処理する遊技用装置であって、
前記管理情報を処理して記憶するための情報管理手段を含み、
該情報管理手段は、
遊技場が情報管理手段内部にまでアクセスすることを防止できるように構成され、かつ、
前記管理情報が入力される情報入力部と、
該情報入力部に入力された前記管理情報を処理する情報処理手段と、
着脱可能に構成されている記憶媒体に対し、前記情報処理手段により処理された情報を記憶させる記憶手段と、
取出される前記記憶媒体の記憶情報に関する情報を記憶する情報記憶手段と、
装着された前記記憶媒体の記憶情報に関する情報と前記情報記憶手段に記憶されている情報とを照合して、前記記憶媒体の記憶情報の改ざんを検出する情報異常検出手段と、
前記情報異常検出手により前記記憶媒体の記憶情報の改ざんが検出されたときに、異常が発生した旨を報知するための処理を行なう報知処理手段とを有していることを特徴とする。
【手続補正３】
【補正対象書類名】明細書
【補正対象項目名】０００７
【補正方法】変更
【補正の内容】
【０００７】
請求項２に記載の本発明は、請求項１に記載の発明の構成に加えて、前記情報管理手段は、
前記取出される記憶媒体の記憶情報をコード化して情報コードを作成する第１の情報コード作成手段と、
前記装着された前記記憶媒体の記憶情報をコード化して情報コードを作成する第２の情報コード作成手段とをさらに有し、
前記情報記憶手段は、前記第１の情報コード作成手段により作成された情報コードを前記記憶媒体の記憶情報に関する情報として記憶し、
前記情報異常検出手段は、前記第２の情報コード作成手段により作成された情報コードと前記情報記憶手段に記憶されている情報コードとを比較して一致するか否かを判別する一致判別手段を有し、該一致判別手段により一致すると判別されたときに前記記憶媒体の記憶情報が正常であることを検出し、前記一致判別手段により一致しないと判別されたときに前記記憶媒体の記憶情報が改ざんされたことを検出することを特徴とする。
【手続補正４】
【補正対象書類名】明細書
【補正対象項目名】０００８
【補正方法】変更
【補正の内容】
【０００８】
請求項３に記載の本発明は、請求項１に記載の発明の構成に加えて、前記報知処理手段は、異常である旨の情報を前記記憶媒体に記憶させる異常情報記憶手段を有することを特徴とする。
【手続補正５】
【補正対象書類名】明細書
【補正対象項目名】０００９
【補正方法】変更
【補正の内容】
【０００９】
請求項４に記載の本発明は、請求項１〜３のいずれかに記載の発明の構成に加えて、前記報知処理手段は、異常である旨の情報を情報送信手段により遊技場外へ送信させる異常情報送信手段を有することを特徴とする。
【手続補正６】
【補正対象書類名】明細書
【補正対象項目名】００１０
【補正方法】変更
【補正の内容】
【００１０】
【作用】
請求項１に記載の本発明によれば、遊技機が設置された遊技場における管理情報が情報管理手段により処理されて記憶される。その情報管理手段は、遊技場が情報管理手段内部にまでアクセスすることを防止できるように構成され、かつ、管理情報が入力される情報入力部と、その情報入力部から入力された情報を処理する情報処理手段と、着脱可能に構成されている記憶媒体に対し、情報処理手段により処理された情報を記憶媒体に記憶させる記憶手段と、取出される前記記憶媒体の記憶情報に関する情報を記憶する情報記憶手段と、装着された前記記憶媒体の記憶情報に関する情報と前記情報記憶手段に記憶されている情報とを照合して、前記記憶媒体の記憶情報の改ざんを検出する情報異常検出手段と、前記情報異常検出手により前記記憶媒体の記憶情報の改ざんが検出されたときに、異常が発生した旨を報知するための処理を行なう報知処理手段とを有している。
【手続補正７】
【補正対象書類名】明細書
【補正対象項目名】００１１
【補正方法】変更
【補正の内容】
【００１１】
請求項２に記載の本発明によれば、請求項１に記載の発明の作用に加えて、前記情報管理手段が、取出される記憶媒体の記憶情報をコード化して情報コードを作成する第１の情報コード作成手段と、装着された記憶媒体の記憶情報をコード化して情報コードを作成する第２の情報コード作成手段とをさらに有し、情報記憶手段が、第１の情報コード作成手段により作成された情報コードを記憶媒体の記憶情報に関する情報として記憶し、情報異常検出手段が、第２の情報コード作成手段により作成された情報コードと情報記憶手段に記憶されている情報コードとを比較して一致するか否かを判別する一致判別手段を有し、該一致判別手段により一致すると判別されたときに記憶媒体の記憶情報が正常であることを検出し、一致判別手段により一致しないと判別されたときに記憶媒体の記憶情報が改ざんされたことを検出する。
【手続補正８】
【補正対象書類名】明細書
【補正対象項目名】００１２
【補正方法】変更
【補正の内容】
【００１２】
請求項３に記載の本発明によれば、請求項１または２に記載の発明の作用に加えて、報知処理手段が有する異常情報記憶手段により、異常である旨の情報が記憶媒体に記憶させられる。
【手続補正９】
【補正対象書類名】明細書
【補正対象項目名】００１３
【補正方法】変更
【補正の内容】
【００１３】
請求項４に記載の本発明によれば、請求項１〜３のいずれかに記載の発明の作用に加えて、報知処理手段が有する異常情報送信手段により、異常である旨の情報が情報送信手段により遊技場外へ送信させられる。
【手続補正１０】
【補正対象書類名】明細書
【補正対象項目名】００８２
【補正方法】変更
【補正の内容】
【００８２】
【課題を解決するための手段の具体例の効果】
請求項１に記載の本発明によれば、管理情報が情報処理手段により処理されてその処理情報が記憶手段の働きにより記憶媒体に記憶されるために、その記憶媒体に記憶された情報を証拠として利用することができ、かつ、情報入力部と情報処理手段と記憶手段とを有する情報管理手段が、遊技場が情報管理手段内部にまでアクセスすることを防止できるように構成されているために、遊技場における改ざんが極力防止でき、前記記憶媒体に記憶される情報自体も改ざんが困難となり、その記憶媒体の記憶情報の信憑性を向上させることができ、記憶情報の証拠としての信頼性を向上させることができる。さらに、記憶媒体が情報管理手段に対し着脱可能であるために、その記憶媒体を情報管理手段から取外してその記憶媒体を検証することができ、記憶部の検証が行ないやすくなるとともに、その取扱われた記憶媒体の記憶情報が改ざんされた場合には、記憶媒体の記憶情報に関する情報と情報記憶手段に記憶されている情報とが照合されてその改ざんが検出されるために、情報の改ざんを容易に発見することが可能となる。
【手続補正１１】
【補正対象書類名】明細書
【補正対象項目名】００８３
【補正方法】変更
【補正の内容】
【００８３】
請求項２に記載の本発明によれば、請求項１に記載の発明の効果に加えて、情報記憶手段が、第１の情報コード作成手段により作成された情報コードを記憶媒体の記憶情報に関する情報として記憶し、一致判別手段が、第２の情報コード作成手段により作成された情報コードと情報記憶手段に記憶されている情報コードとを比較して一致するか否かを判別し、一致判別手段により一致すると判別されたときに記憶媒体の記憶情報が正常であることが検出され、一致判別手段により一致しないと判別されたときに記憶媒体の記憶情報が改ざんされたことが検出される。
【手続補正１２】
【補正対象書類名】明細書
【補正対象項目名】００８４
【補正方法】変更
【補正の内容】
【００８４】
請求項３に記載の本発明によれば、請求項１または２に記載の発明の効果に加えて、異常情報記憶手段により、異常である旨の情報が記憶媒体に記憶させられる。
【手続補正１３】
【補正対象書類名】明細書
【補正対象項目名】００８５
【補正方法】変更
【補正の内容】
【００８５】
請求項４に記載の本発明によれば、請求項１〜３のいずれかに記載の発明の効果に加えて、異常情報送信手段により、異常である旨の情報が遊技場外へ送信させられる。